(57)【要約】【課題】製造コスト等をほぼ維持したままで製造可能であって、ピボット軸の移動状態を確認可能なピボットヒンジの提供。【解決手段】ピボットヒンジ１は、第１のヒンジ部４と第２のヒンジ部５とを備えている。第１のヒンジ部４はケース１０を有しており、ピボット軸２１を操作するための操作具Ｄに対する係合部２２ａがケース１０の側面１０ａに露出して設けられている。ピボット軸２１の移動状態を把握するために着色された着色部２６Ａが設けられ、ケース１０の側面１０ａには着色部２６Ａを視認する為の第１の孔１０Ａが形成されている。第１の孔１０Ａを介して着色部２６Ａが視認された場合にはピボット軸２１が十分に突出した状態となる。【選択図】  図５
2014101735.tif 000002
【特許請求の範囲】
【請求項１】
扉及びその周囲の扉枠のいずれか一方に取り付けられ、上下方向を軸線方向とし該軸線方向に移動可能なピボット軸を有する第１のヒンジ部と、
扉及びその周囲の扉枠のいずれか他方に取り付けられ、突出した状態のピボット軸を回転自在に受け止める第２のヒンジ部と、を備え、
該第１のヒンジ部はケースを有し、
該ピボット軸を操作するための操作具に対する係合部が該ケースの側面に露出して設けられ、
該ケース内に、該ピボット軸の軸線方向に対して直交する中心線の周りに回転可能な操作部材と、該操作部材の回転を該ピボット軸の軸線方向の運動に変換する変換機構とが設けられるピボットヒンジにおいて、
該変換機構に該ピボット軸の移動状態を把握するために着色された着色部が設けられ、該ケースの側面には該着色部を視認する為の第１の孔が形成され、
該第１の孔を介して該着色部が視認される場合には該ピボット軸が十分に突出した状態となることを特徴とするピボットヒンジ。
【請求項２】
該ケースの側面には該着色部を視認する為の第２の孔が形成され、該第２の孔を介して該着色部が視認される場合には該ピボット軸が該第１のヒンジ部に収容された状態となることを特徴とする請求項１に記載のピボットヒンジ。
【請求項３】
該変換機構は該操作部材に取付けられたピニオンを有し、該ピニオンに該着色部が設けられていることを特徴とする請求項１又は請求項２に記載のピボットヒンジ。
【発明の詳細な説明】
【技術分野】
【０００１】
本発明は、扉を扉枠に開閉自在に取り付けるためのピボットヒンジに関する。
【背景技術】
【０００２】
従来から扉の上端部と扉枠の上辺部とを回動可能に連結するピボットヒンジとして、上下動可能なピボット軸を備えるヒンジ本体と当該ピボット軸を回転自在に受ける軸受けを備える第２のヒンジとを備えたものが存在する。この種のピボットヒンジは、扉又は扉枠のいずれか一方にヒンジ本体を、他方に軸受けをそれぞれ装着し、扉を扉枠に対して所定の開度で保持した状態でピボット軸を突出させて軸受けに嵌合させることによって扉が扉枠に回動自在に取り付けられる。
【０００３】
このピボットヒンジは、ピボット軸を上下動させるための調整ねじがピボット軸と平行に配置され、ヒンジ本体を扉に装着した場合には、その調整ねじの操作部分が扉の上端部に露出する。したがって、調整ネジを操作するにはドライバーなどの操作具を扉の上方から係合させる必要があり、作業しにくい。また扉を閉じると調整ねじが扉と扉枠との間に隠れ、扉を開けた状態でないと作業できない。また、このようなピボットヒンジはピボット軸が完全に突出したか否かを確認することができなかった。
【０００４】
しかしながら、ピボット軸の突出状態を確認可能なピボットヒンジは存在する（特許文献１参照）。このピボットヒンジは、ピボット軸の突出状態に応じて調整ねじとともに確認用のピンが上下に移動するようになっている。具体的には、このピボットヒンジは、扉枠に取り付けた状態において、調整ねじ及び確認用のピンが扉枠の上辺面から突出した状態に配置され、調整ねじを操作しピボット軸が下方へ移動することによって、当該調整ねじ及び確認用のピンの端面が上方に移動するようになっており、ピボット軸が完全に下方に移動した際に調整ねじ及び確認用のピンの端面が上辺面と平滑に配置されるようになっており、ピボットヒンジによって扉を扉枠に取り付けた状態でピボット軸が完全に突出しているか否かを調整ねじ及び確認用のピンの端面の位置によって確認することが可能となっている。
【先行技術文献】
【特許文献】
【０００５】
【特許文献１】実用新案登録第２５５０９４４号公報
【発明の概要】
【発明が解決しようとする課題】
【０００６】
しかしながら、特許文献１に記載のピボットヒンジは、ピボット軸の突出状態を確認しにくいという問題がある。
【０００７】
また、確認用のピンを設ける必要が生じ、製造コスト及び製造工程の増加につながるなどの問題がある
【０００８】
そこで、本発明は上記問題を課題の一例として為されたもので、製造コスト等をほぼ維持したままで製造可能であって、ピボット軸の移動状態を明確に確認可能なピボットヒンジを提供することを目的とする。
【課題を解決するための手段】
【０００９】
本発明は上記課題を解決すべくなされたものであって、扉２及びその周囲の扉枠３のいずれか一方に取り付けられ、上下方向を軸線方向とし該軸線方向に移動可能なピボット軸２１を有する第１のヒンジ部４と、扉２及びその周囲の扉枠３のいずれか他方に取り付けられ、突出した状態のピボット軸２１を回転自在に受け止める第２のヒンジ部５と、を備え、該第１のヒンジ部４はケース１０を有し、該ピボット軸２１を操作するための操作具Ｄに対する係合部２２ａが該ケース１０の側面１０ａに露出して設けられ、該ケース１０内に、該ピボット軸２１の軸線方向に対して直交する中心線の周りに回転可能な操作部材２２と、該操作部材２２の回転を該ピボット軸２１の軸線方向の運動に変換する変換機構２５と、が設けられるピボットヒンジ１において、該変換機構２５に該ピボット軸２１の移動状態を把握するために着色された着色部２６Ａが設けられ、該ケース１０の側面１０ａには該着色部２６Ａを視認する為の第１の孔１０Ａが形成され、該第１の孔１０Ａを介して該着色部２６Ａが視認される場合には該ピボット軸２１が十分に突出した状態となることを特徴とする。
【００１０】
ここで、該ケース１０の側面には該着色部２６Ａを視認する為の第２の孔１０Ｂが形成され、該第２の孔１０Ｂを介して該着色部２６Ａが視認される場合には該ピボット軸２１が該第１のヒンジ部４に収容された状態となることが好ましい。
【００１１】
ここで、該変換機構２５は該操作部材２２に取付けられたピニオン２６を有し、該ピニオン２６に該着色部２６Ａが設けられていることが好ましい。
【発明の効果】
【００１２】
本発明のピボットヒンジによれば、ピボット軸の移動状態を確認するための着色部をケースに形成された孔を介して視認可能であるため、ピボット軸が十分に突出したことを容易に確認できる。
【図面の簡単な説明】
【００１３】
【図１】本発明の実施形態に係るヒンジ本体（第１のヒンジ部）の内部構造を示す図。
【図２】本発明の実施形態に係るヒンジ本体の正面図。
【図３】本発明の実施形態に係るヒンジ本体の平面図。
【図４】本発明の実施形態に係るヒンジ本体の右側面図。
【図５】図１のヒンジ本体を扉に取付けた上体を示す図。
【図６】図１のヒンジ本体を扉に取付けた状態を図５の矢印Ａ方向から示す図。
【図７】図１のヒンジ本体を扉に取付けた状態を図５の矢印Ｂ方向から示す図。
【発明を実施するための形態】
【００１４】
以下、本発明の実施形態について図面に基づいて説明する。図５〜図７は本発明の実施形態に係るピボットヒンジの使用状態を示すものである。ピボットヒンジ１は、扉２の上端部２ａに取り付けられるヒンジ本体（第１のヒンジ部）４と、扉２の周囲の扉枠３に装着されるヒンジ軸受け（第２のヒンジ部）５とを有している。なお、図５〜図７ではヒンジ本体４を扉２の上端部２ａに取り付けた状態を示している。ピボットヒンジ１を用いた扉２の取付手順は後述する。
【００１５】
図２〜図４はヒンジ本体４の外観を、図１はヒンジ本体４の内部構造をそれぞれ示している。これらの図から明らかなように、ヒンジ本体４は、ケース１０と、ケース１０の上端に固定された取付板１１とを有している。ケース１０は一端が開口する箱状のベース１２と、そのベース１２の開口部を塞ぐ蓋体１３とを有している。ベース１２には二つの連結ピース１４、１５がカシメや溶接等で固定される。蓋体１３に装着した二本の十字穴付きのねじ１６、１６（図２参照）を連結ピース１４、１５の雌ねじ穴１４ａ、１５ａにねじ込むことにより、ベース１２に蓋体１３が取り付けられてケース１０が閉じられる。取付板１１は一対の固定ピン１７、１７によりベース１２の上端に固定される。
【００１６】
図１に示すように、取付板１１の一端部にはカシメや溶接等にてブッシュ２０が固定され、そのブッシュ２０にピボット軸２１が上下動自在に挿入されている。ケース１０内におけるピボット軸２１の側方には、作動軸（操作部材）２２がその軸線をピボット軸２１の軸線方向に対して直交させて設けられている。作動軸２２の両端部（図では一方のみを示す。）には十字穴２２ａが形成され、それらの十字穴２２ａはケース１０の両側面１０ａに露出する（図２参照）。ケース１０の両側面１０ａ(図では一方のみを示す。)における十字穴２２ａの側方位置には丸孔（第１の孔）１０Ａが形成されており、十字穴２２ａの下方位置には丸孔１０Ａと同一径の丸孔（第２の孔）１０Ｂが形成されている。作動軸２２の回転中心から丸孔１０Ａの中心までの距離と、作動軸２２の回転中心から丸孔１０Ｂの中心までの距離は等しくなっている。図７に示すよう、扉２の表面２ｃには貫通孔２ｄが形成されており、丸孔１０Ａと丸孔１０Ｂはこの貫通孔２ｄを介して視認することができる位置に形成されている。
【００１７】
ピボット軸２１と作動軸２２とは変換機構２５を介して連結される。ケース１０内に設けられる変換機構２５は、作動軸２２に同軸に取り付けられたピニオン２６と、ピニオン２６に噛み合う扇状の減速ギア２７と、一端が減速ギア２７の外周部に、他端がピボット軸２１の下端部にそれぞれ連結ピン２９ａ、２９ｂを介して回転自在に取り付けられたリンク（連結部材）２８とを有している。この変換機構２５では、作動軸２２の回転操作に応じてピニオン２６が一体回転し、その回転が減速ギア２７へ減速して伝えられる。そして、減速ギア２７のギア軸２７ａを中心とした回転がリンク２８によりピボット軸２１の上下方向の往復運動に変換される。減速ギア２７の回転範囲は連結ピース１４により制限される。
【００１８】
図１に示すように、ピニオン２６の両側面２６ａ（図では一方のみを示す。）には赤色の着色を施した赤丸の着色部２６Ａ（図１参照）がピボット軸２１の移動状態を把握するために設けられている。作動軸２２の回転操作に応じてピニオン２６が一体回転すると赤丸の着色部２６Ａも作動軸２２を中心として時計回り又は反時計回りに回転し、赤丸の着色部２６Ａはケース１０の側面１０ａに形成された丸孔１０Ｂに対向する位置と丸孔１０Ａに対向する位置との間を移動する。ピボット軸２１がヒンジ本体４に完全に収容された状態（図１（ｂ）参照）においては、ケース１０の側面１０ａに形成された丸孔１０Ｂを介して赤丸の着色部２６Ａを視認することができるように構成されている。そして、ピボット軸２１がヒンジ本体４のブッシュ２０から十分に突出した状態（図１（a）参照）においては、ケース１０の側面１０ａに形成された丸孔１０Ａを介して赤丸の着色部２６Ａを視認することができるように構成されている。
【００１９】
次に、図５〜図７を参照して扉２の取付手順を説明する。扉２を扉枠３に吊り込むときには、まず、ヒンジ本体４を扉２の上端部２ａに、ヒンジ軸受け５を扉枠３の上辺部３ａにそれぞれ皿ねじ３０、３１にて取り付ける。このとき、ヒンジ本体４は、そのケース１０が扉２の内部に埋め込まれ、取付板１１の上面１１ａが扉２の上端面と略面一となるように取り付けられる。また、ヒンジ軸受け５は、その取付板５ａの下面５ｂが扉枠３の上辺部３ａの下面と略面一となるように取り付けられる。このとき、ケース１０の丸孔１０Ｂを介して赤丸の着色部２６Ａを視認することにより、ピボット軸２１を図１（ｂ）に示すようにヒンジ本体４内に収容しておく。
【００２０】
また、上記と並行して、扉枠３の下辺部３ｂにはピボット軸６が、扉２の下端部２ｂにはヒンジ軸受け７がそれぞれ取り付けられる。これらピボット軸６やヒンジ軸受け７は扉２の下側用のピボットヒンジ８を構成するものであり、図１〜図４に示すピボットヒンジ１とは異なる。
【００２１】
続いて、ピボット軸６とヒンジ軸受け７とを嵌合させて扉２を立て、ピボット軸２１とヒンジ軸受け５の軸受け部５ｃとを対向させる。この状態で作動軸２２の十字穴２２ａにドライバーＤをかみ合わせ、図１（ｂ）の状態から作動軸２２をその軸線周りに反時計方向に回転させる。これにより、ピボット軸２１がブッシュ２０から突出してピボット軸受け５と嵌合し、扉２が扉枠３内に回動自在に装着される。このとき、ケース１０の丸孔１０Ａを介して赤丸の着色部２６Ａを視認することにより、ピボット軸２１が十分に上方に移動してピボット軸受け５と嵌合しているかを確認する。
【００２２】
ピボット軸２１が図１（ａ）の位置に達すると、減速ギア２７の右側面２７ｂが連結ピース１４に当接してそれ以上の作動軸２２及び変換機構２５の動作が阻止される。
【００２３】
扉２を外すときには、ドライバーＤにより作動軸２２を図１（ａ）の状態から時計方向に回転させてピボット軸２１を下降させる。このとき、ケース１０の丸孔１０Ｂを介して赤丸の着色部２６Ａを視認することにより、ピボット軸２１がヒンジ本体４内に収容されたことを確認する。図１（ｂ）に示すように、減速ギア２７の左側面２７ｃが連結ピース１４に当接した時点でピボット軸２１がヒンジ本体４内に収容されてそれ以上の作動軸２２及び変換機構２５の動作が阻止される。
【００２４】
なお、図６及び図７に示したように、扉２の表面２ｃの作動軸２２に対応した位置には貫通孔２ｄを形成し、この貫通孔２ｄを介してドライバーＤを扉２内に差し込んで作動軸２２を操作すると共に赤丸の着色部２６Ａを視認する。作動軸２２を操作する必要がないときは貫通孔２ｄを化粧蓋３５で閉塞しておけば、扉２の外観が損なわれないし、作動軸２２がむやみに操作されるおそれもない。作動軸２２の両端面に十字穴２２ａを設けることにより左右勝手の共用ができる。貫通孔２ｄは扉２の両面に設けてもよい。なお、化粧蓋３５に代えてシール、その他の部材で覆ってもよい。作動軸２２に対する操作具はドライバーＤに限らず各種の作業工具、例えば六角レンチ等を使用できる。
【００２５】
本発明によるピボットヒンジは、上述した実施形態に限定されず、特許請求の範囲に記載した範囲で種々の変形や改良が可能である。例えば、上述した実施形態においては、扉２にヒンジ本体４が取付けられていたが、扉枠にヒンジ本体を、扉にヒンジ軸受けを装着するようにしてもよい。
【００２６】
また、上述した実施形態においては、ピニオン２６の側面２６ａに赤丸の着色部２６Ａが設けられていたが、変換機構２５を構成するピニオン以外の部材に着色部を設けるようにしてもよい。
【００２７】
また、上述した実施形態においては、着色部２６Ａは赤色の着色を施して赤丸としていたが、着色部とそれ以外の部分とを区別しやすい色であればその他の色を着色してもよいし、着色部は丸以外の形であってもよい。
【符号の説明】
【００２８】
１      ピボットヒンジ
２      扉
３      扉枠  
４      ヒンジ本体（第１のヒンジ部）
５      ヒンジ軸受け（第２のヒンジ部）
１０    ケース
１０Ａ  丸孔（第１の孔）
１０Ｂ  丸孔（第２の孔）
１４    連結ピース
２１    ピボット軸
２２    作動軸（操作部材）
２２ａ  十字穴（係合部）
２５    変換機構
２６    ピニオン
２６Ａ  着色部
２７    減速ギア
２８    リンク
【図１】
2014101735.tif 000003
【図２】
2014101735.tif 000004
【図３】
2014101735.tif 000005
【図４】
2014101735.tif 000006
【図５】
2014101735.tif 000007
【図６】
2014101735.tif 000008
【図７】
2014101735.tif 000009